(57)【特許請求の範囲】
【請求項１】
コアケースと、このコアケースに収納され内部に第１熱媒体が流される複数の伝熱チューブと、これらの伝熱チューブの外側に流される第２熱媒体を前記コアケース内に導くために前記コアケースに設けられる第２熱媒体導入口と、この第２熱媒体導入口で導入され前記コアケース内を流れた第２熱媒体を外部へ排出する第２熱媒体排出口とからなる熱回収器本体を有し、
この熱回収器本体に第２熱媒体を導入する第２熱媒体導入管と、前記熱回収器本体から第２熱媒体を排出する第２熱媒体排出管とが接続部材を介して前記コアケースに接続されている熱回収器組立体であって、
前記第２熱媒体導入口は、前記第１熱媒体の流れ方向を基準として、前記コアケースの上流端部に設けられ、
前記第２熱媒体排出口は、前記コアケースの上流端部に設けられた上流側排出口と、前記コアケースの下流端部に設けられた下流側排出口とからなり、
前記第２熱媒体排出管は、前記下流側排出口から前記接続部材までを繋ぐ下流側排出管と、接続部材から外部へ向かって延びる上流側排出管とからなり、
前記接続部材は、前記第２熱媒体導入管の一端が接続される導入管接続口と、この導入管接続口から前記第２熱媒体導入口までを接続する第２熱媒体導入路と、前記下流側排出管の一端が接続される下流側排出管接続口と、この下流側排出管接続口及び前記上流側排出口から前記上流側排出管までを接続する三つ又状の第２熱媒体排出路とからなることを特徴とする熱回収器組立体。
【請求項２】
前記コアケースは、略直方体形状を呈し、
前記コアケースの上面又は下面の内、上流側の任意の角を第１のコーナ部とし、この第１のコーナ部と同じ面であって上流側のもう一つの角を第２のコーナ部とし、この第２のコーナ部の下流側の角を第３のコーナ部とした場合に、
前記第１のコーナ部に前記第２熱媒体導入口が形成され、
前記第２のコーナ部に前記上流側排出口が形成され、
前記第３のコーナ部に前記下流側排出口が形成されると共に、
前記接続部材が、前記第１のコーナ部から前記第２のコーナ部に亘って取付けられていることを特徴とする請求項１記載の熱回収器組立体。
【請求項３】
請求項１又は請求項２記載の熱回収器組立体が搭載された排熱回収装置であって、
この排熱回収装置は、排気ガスを導入する導入口と、この導入口の下流に接続され導入された排気ガスを下流側の２つの流路に分岐する分岐部と、この分岐部の下流に接続され前記導入口の下流に向かって延びる第１流路と、この第１流路を迂回するように前記分岐部から下流に向かって延びる第２流路と、この第２流路に設けられた前記熱回収器組立体と、前記第２流路の下流端部から前記第１流路に向かって延びる合流部と、この合流部及び前記第１流路の下流端部が接続される部屋部と、この部屋部で支持されるバルブ軸と、このバルブ軸に支持され回動することで前記２つの流路を切り替えるバルブと、このバルブを回動させるために前記バルブ軸に接続されるサーモアクチュエータとからなり、
前記接続部材は、サーモアクチュエータの基部が取付けられるサーモアクチュエータ取付部を備えていることを特徴とする排熱回収装置。
【発明の詳細な説明】
【技術分野】
【０００１】
本発明は、排気ガスの熱を媒体で回収する排熱回収の技術に関する。
【背景技術】
【０００２】
内燃機関で発生した排気ガスの熱を、熱回収器内に流される媒体で回収する技術が種々提案されている（例えば、特許文献１（図２）参照。）。
【０００３】
特許文献１を次図に基づいて説明する。
図１１に示すように、熱回収器組立体１００は、熱回収器本体１１０と、この熱回収器本体１１０の下面に取付けられ媒体を導入する導入部１０１と、熱回収器本体１１０の上面に取付けられ媒体を排出する排出部１０２とからなる。
【０００４】
熱回収器組立体１００の主要部を構成する熱回収器本体１１０は、コアケース１１１と、このコアケース１１１の両端にそれぞれ取付けられコアケース１１１の端部を塞ぐエンドプレート１１２（上流側のみ図示）と、これらのエンドプレート１１２に支持され排気ガスの流れ方向に延びる複数の伝熱チューブ１１３とからなる。
【０００５】
白抜き矢印（１１）で示す媒体は、コアケース１１１内を伝熱チューブ１１３の外周部に沿って流れる。一方、白抜き矢印（１２）で示す排気ガスは、伝熱チューブ１１３の内周部を流れる。伝熱チューブ１１３の内周部を流れる排気ガスの熱を、伝熱チューブ１１３の外周部を流れる媒体で回収する。
媒体は冷却水が好適である。
【０００６】
ところで、熱が回収される前の排気ガスの温度は非常に高い。媒体が水である場合、排気ガスの温度が非常に高いため、上流側エンドプレート１１２の近傍では、排気ガスで温められた媒体（水）が沸騰することがある。媒体が沸騰すると、気泡が媒体の円滑な流れを妨げる。媒体が円滑に流れないことで、熱回収器が熱を回収する効率が低下し、好ましくない。
【０００７】
媒体を円滑に流すことのできる熱回収技術の提供が望まれる。
【先行技術文献】
【特許文献】
【０００８】
【特許文献１】特開２００８−２３１９２９公報
【発明の概要】
【発明が解決しようとする課題】
【０００９】
本発明は、熱媒体を円滑に流すことのできる熱回収技術の提供を課題とする。
【課題を解決するための手段】
【００１０】
請求項１に係る熱回収器本体は、コアケースと、このコアケースに収納され内部に第１熱媒体が流される複数の伝熱チューブと、これらの伝熱チューブの外側に流される第２熱媒体をコアケース内に導くためにコアケースに設けられる第２熱媒体導入口と、この第２熱媒体導入口で導入されコアケース内を流れた第２熱媒体を外部へ排出する第２熱媒体排出口とからなる熱回収器本体を有し、
この熱回収器本体に第２熱媒体を導入する第２熱媒体導入管と、前記熱回収器本体から第２熱媒体を排出する第２熱媒体排出管とが接続部材を介して前記コアケースに接続されている熱回収器組立体であって、
第２熱媒体導入口は、第１熱媒体の流れ方向を基準として、コアケースの上流端部に設けられ、
第２熱媒体排出口は、コアケースの上流端部に設けられた上流側排出口と、コアケースの下流端部に設けられた下流側排出口とからなり、
前記第２熱媒体排出管は、前記下流側排出口から前記接続部材までを繋ぐ下流側排出管と、接続部材から外部へ向かって延びる上流側排出管とからなり、
前記接続部材は、前記第２熱媒体導入管の一端が接続される導入管接続口と、この導入管接続口から前記第２熱媒体導入口までを接続する第２熱媒体導入路と、前記下流側排出管の一端が接続される下流側排出管接続口と、この下流側排出管接続口及び前記上流側排出口から前記上流側排出管までを接続する三つ又状の第２熱媒体排出路とからなることを特徴とする。
【００１２】
請求項２に係る熱回収器組立体は、コアケースは、略直方体形状を呈し、
コアケースの上面又は下面の内、上流側の任意の角を第１のコーナ部とし、この第１のコーナ部と同じ面であって上流側のもう一つの角を第２のコーナ部とし、この第２のコーナ部の下流側の角を第３のコーナ部とした場合に、
第１のコーナ部に第２熱媒体導入口が形成され、
第２のコーナ部に上流側排出口が形成され、
第３のコーナ部に下流側排出口が形成されると共に、
接続部材が、第１のコーナ部から第２のコーナ部に亘って取付けられていることを特徴とする。
【００１３】
請求項３に係る排熱回収装置は、熱回収器組立体が搭載された排熱回収装置であって、
この排熱回収装置は、排気ガスを導入する導入口と、この導入口の下流に接続され導入された第１熱媒体を下流側の２つの流路に分岐する分岐部と、この分岐部の下流に接続され導入口の下流に向かって延びる第１流路と、この第１流路を迂回するように分岐部から下流に向かって延びる第２流路と、この第２流路に設けられた熱回収器組立体と、第２流路の下流端部から第１流路に向かって延びる合流部と、この合流部及び第１流路の下流端部が接続される部屋部と、この部屋部で支持されるバルブ軸と、このバルブ軸に支持され回動することで２つの流路を切り替えるバルブと、このバルブを回動させるためにバルブ軸に接続されるサーモアクチュエータとからなり、
接続部材は、サーモアクチュエータの基部が取付けられるサーモアクチュエータ取付部を備えていることを特徴とする。
【発明の効果】
【００１４】
請求項１に係る発明では、コアケースの上流端部に第２熱媒体導入口と、上流側排出口とが設けられ、コアケースの下流端部に下流側排出口が設けられている。
第２熱媒体導入口から導入された第２熱媒体のうち、一部は上流側排出口に向かって流れる。第２熱媒体導入口及び上流側排出口が共にコアケースの上流端部に設けられているため、第２熱媒体の流路は短い。第２熱媒体の流路が短いことで、沸騰の生じやすい上流側では、第２熱媒体の滞留を抑え、沸騰が生じる前に第２熱媒体をコアケースの外に排出することができる。
一方、第２熱媒体導入口から導入された第２熱媒体の残部は、下流側排出口に向かって流れる。コアケースの上流端部から導入した第２熱媒体を、コアケースの下流端部から排出するため、十分に排気ガスの熱を回収することができる。
【００１５】
即ち、沸騰する前にコアケースの外部へ第２熱媒体を排出する。第２熱媒体の沸騰を防ぐことで、第２熱媒体を円滑に流すことができる。第２熱媒体を円滑に流すことで、効率よく第１熱媒体の熱を回収することができる。
【００１６】
加えて、請求項１に係る発明では、熱回収器本体に接続部材を取付けた。接続部材には、第２熱媒体導入管、上流側排出管及び下流側排出管が接続される。例えば、接続部材に第２熱媒体導入管、上流側排出管及び下流側排出管を接続した上で、熱回収器本体に接続することができる。それぞれの部品を個別に接続する場合に比べて、部品点数を削減することができる。
【００１７】
請求項２に係る発明では、コアケースの上面又は下面に位置する第１のコーナ部から第２のコーナ部に亘って、接続部材が取付けられている。コアケースの上方又は下方の部位に接続部材を取付け、この接続部材に、第２熱媒体導入管、上流側排出管及び下流側排出管が接続される。即ち、第２熱媒体導入管、上流側排出管及び下流側排出管をコアケースの上面又は下面近傍にまとめて配置することができる。まとめて配置することで、熱回収器組立体の小型化を図ることができる。
【００１８】
請求項３に係る発明では、接続部材は、サーモアクチュエータの基部が取付けられるサーモアクチュエータ取付部を備えている。サーモアクチュエータの取付けを容易に行うことができると共に、部品点数の削減を図ることができる。
【図面の簡単な説明】
【００１９】
【図１】本発明に係る排熱回収装置の斜視図である。
【図２】図１の２−２線断面図である。
【図３】実施例１に係る熱回収器組立体の平面図である。
【図４】本発明に係る熱回収器の平面図である。
【図５】図３の５−５線断面図である。
【図６】本発明に係る接続部材の断面図である。
【図７】図３の７−７線断面図である。
【図８】本発明に係る熱回収器組立体の作用を説明する図である。
【図９】実施例２に係る熱回収器組立体の平面図である。
【図１０】実施例３に係る熱回収器組立体の平面図である。
【図１１】従来の技術の基本構成を説明する図である。
【発明を実施するための形態】
【００２０】
本発明の実施の形態を添付図に基づいて以下に説明する。なお、図面は符号の向きに見るものとする。
【実施例１】
【００２１】
先ず、本発明の実施例１を図面に基づいて説明する。
図１に示されるように、排熱回収装置１０は、排気ガスを導入する導入口１１と、この導入口１１の下流に接続され導入された排気ガス（第１熱媒体）を下流側の２つの流路に分岐する分岐部１２と、この分岐部１２の下流に接続され導入口１１の下流に向かって延びる第１流路１３と、この第１流路１３を迂回するように分岐部１２から下流に向かって延びる第２流路１４と、この第２流路１４に設けられた熱回収器組立体３０と、第２流路１４の下流端部から第１流路１３に向かって延びる合流部１６と、この合流部１６及び第１流路１３の下流端部が接続される部屋部１７と、この部屋部１７で支持されるバルブ軸１８と、このバルブ軸１８に支持され回動することで２つの流路を切り替えるバルブ２１と、部屋部１７の側方に取付けられバルブ軸１８を閉じ方向へ付勢する付勢手段２２と、この付勢手段２２に先端が接続され冷却水（第２熱媒体）の温度で作動するサーモアクチュエータ２３とからなる。
【００２２】
導入口１１は、分岐部１２に一体的に形成されている。
サーモアクチュエータ２３は、基部が熱回収器組立体３０に支持されている。
バルブ２１の詳細を次図で説明する。
【００２３】
図２に示すように、バルブ２１は、バルブ軸１８にボルト２５を介して固定される固定部２６と、この固定部２６の先端に設けられ第１流路１３の下流端部１３ｂを閉じる弁体２８とからなる。
【００２４】
弁体２８は、第１流路１３の下流端部１３ｂの内周面に取付けられた着座部２９に着座している。図に示す状態で、バルブ２１は第１流路１３を閉じている。第１流路１３が閉じられていることで、導入口１１から導入された排気ガスは、第２流路１４（図面裏面側）へ向かって分岐部１２内を流れる。
【００２５】
一方、バルブ軸１８を回転させることで、バルブ２１は第１流路１３を開く。第１流路１３が開かれている場合は、導入口１１から導入された排気ガスは、第１流路１３を流れる。図１に戻って詳細に説明する。
【００２６】
第１流路１３が閉じられている場合は、導入口１１から導入された排気ガスは、分岐部１２を通って第２流路１４へ向かう。第２流路１４には、熱回収器組立体３０が設けられており、排気ガスは熱回収器組立体３０内の冷却水との間で熱交換を行う。熱交換を行った排気ガスは、合流部１６を介して部屋部１７に流れ、外部へ排出される。
【００２７】
熱回収器組立体３０を流れる冷却水が所定の温度を超えると、サーモアクチュエータ２３内のワックスが膨張する。ワックスが膨張することで、サーモアクチュエータ２３の先端部２３ａが、図面右方向に向かって前進する。サーモアクチュエータ２３の先端部２３ａは、付勢手段２２の付勢する力に抗して前進し、バルブ軸１８を回転させる。バルブ軸１８を回転させることでバルブ２１が開き、排気ガスが第１流路１３を流れる。
熱回収器組立体３０の詳細について図３以降で説明する。
【００２８】
図３に示すように、熱回収器組立体３０は、第２流路（図１、符号１４）を形成し排気ガスとの間で熱交換を行う熱回収器本体４０と、この熱回収器本体４０の上面に取付けられる接続部材６０と、この接続部材６０に接続され熱回収器本体４０に冷却水（第２熱媒体）を導入する第２熱媒体導入管３１と、接続部材６０に接続され熱回収器本体４０の冷却水を排出する第２熱媒体排出管３２とからなる。
熱回収器本体４０の詳細を次図で説明する。
【００２９】
図４に示すように、熱回収器本体４０は、略直方体のコアケース４１と、このコアケース４１の上流端部４１ａに取付けられる上流側エンドプレート４２と、この上流側エンドプレート４２に対向しコアケース４１の下流端部４１ｂに取付けられる下流側エンドプレート４３とからなる。
【００３０】
コアケース４１の上面の内、上流側の左の角を第１のコーナ部Ｃ１とし、この第１のコーナ部Ｃ１と同じ上流側のもう一つの角を第２のコーナ部Ｃ２とし、この第２のコーナ部Ｃ２の下流側の角を第３のコーナ部Ｃ３とする。この場合に、冷却水を導入するための第２熱媒体導入口４５が第１のコーナ部Ｃ１に形成され、冷却水を排出するための排出口であって上流側に形成される上流側排出口４６が第２のコーナ部Ｃ２に形成され、冷却水を排出するための排出口であって下流側に形成される下流側排出口４７が第３のコーナ部Ｃ３に形成されている。
【００３１】
冷却水を排出するための第２熱媒体排出口４８は、上流側排出口４６と、下流側排出口４７の２つの排出口からなる。
即ち、第２熱媒体導入口４５からコアケース４１内に導入される冷却水は、上流側排出口４６又は下流側排出口４７のどちらかからコアケース４１の外部へ排出される。
【００３２】
コアケース４１の上面の一部は、冷却水の流れを規制するために凹まされた流路規制凹部４１ｃとされる。詳細は後述するが、流路規制凹部４１ｃを形成することで、冷却水の流路を規制することができる。コアケース４１の形状で冷却水の流路を規制するため、熱回収器本体４０の部品点数を削減することができる。
【００３３】
第２熱媒体導入口４５と、上流側排出口４６とは、コアケース４１の上面に開けられた一つの穴４１ｄを仕切ることで形成されている。想像線で示されるのは、第２熱媒体導入口４５と、上流側排出口４６とを仕切るための仕切り部６３ｂである。即ち、第２熱媒体導入口４５は、穴４１ｄの、仕切り部６３ｂよりも第１のコーナ部Ｃ１側（図面下側）の部位であり、上流側排出口４６は、穴４１ｄのうち、仕切り部６３ｂよりも第２のコーナ部Ｃ２側（図面上側）の部位である。穴４１ｄは略矩形状を呈する。
【００３４】
穴４１ｄの強度を保つために、複数の補強部４９が形成されている。このような穴４１ｄの上部に接続部材（図３、符号６０）が取付けられる。
熱回収器本体４０について詳細をさらに次図で説明する。
【００３５】
図５に示すように、コアケース４１内に複数の伝熱チューブ５１が収納され、これらの伝熱チューブ５１内にフィン５２がそれぞれ配置されている。伝熱チューブ５１の両端は、エンドプレート（図４、符号４２，４３）で支持される。
【００３６】
伝熱チューブ５１内に排気ガスが流れ、伝熱チューブ５１の外部を流れる冷却水が温められる。冷却水が温められることで、伝熱チューブ５１内を流れる排気ガスの温度は下がる。
【００３７】
コアケース４１の上部に取付けられる接続部材６０は、コアケース４１内に冷却水を導入するための第２熱媒体導入路６１と、コアケース４１内の冷却水を排出するための第２熱媒体排出路６２とを有し、第２熱媒体導入路６１と第２熱媒体排出路６２は、壁部６３によって仕切られている。壁部６３は、第２熱媒体導入路６１から第２熱媒体排出路６２に向かって膨出する膨出部６３ａと、この膨出部６３ａの先端から伝熱チューブ５１に向かって延び第２熱媒体導入口４５及び上流側排出口４６を仕切る仕切り部６３ｂとからなる。
【００３８】
膨出部６３ａを形成することで、第２熱媒体導入路６１及び第２熱媒体導入口４５を広くしつつ、接続部材６０をコンパクトにすることができる。接続部材６０をコンパクトにすることで、熱回収器本体４０の上方に配置することができる。即ち、熱回収器本体４０の幅に対して、接続部材６０が略重なるよう、接続部材６０を配置することができる。
【００３９】
加えて、壁部６３を伝熱チューブ５１に略接触する位置まで延ばすことで、第２熱媒体導入口４５及び上流側排出口４６を仕切る仕切り部６３ｂとした。壁部６３を延ばして形成するため、部品点数の削減を図ることができる。
また、仕切り部６３ｂを伝熱チューブ５１に略接触させることで、第２熱媒体導入口４５から導入された冷却水を、伝熱チューブ５１の下端まで流すことができる。即ち、仕切り部６３ｂは、冷却水の流路を規制する規制部の役割も果たす。
【００４０】
また、接続部材６０の縁部６４の形状は、コアケース４１の縁部４１ｅの形状に合わせて形成され、接続部材６０の縁部６４をコアケース４１の縁部４１ｅに嵌合させることができる。嵌合することで、熱回収器本体４０に対して、接続部材６０を容易に位置決めすることができる。また、熱回収器本体４０に対して接続部材６０を溶接する際に、接続部材６０が固定され、溶接作業を容易に行うことができる。
熱回収器組立体（図３、符号３０）の詳細について次図で説明する。
【００４１】
図６に示すように、熱回収器組立体３０の第２熱媒体排出管３２は、下流側排出口４７から接続部材６０までを繋ぐ下流側排出管３３と、接続部材６０から外部へ向かって延びる上流側排出管３４とからなる。
【００４２】
接続部材６０は、第２熱媒体導入管３１の一端が接続される導入管接続口６６と、この導入管接続口６６から第２熱媒体導入口４５までを接続する第２熱媒体導入路６１と、この第２熱媒体導入路６１の下流側に形成されサーモアクチュエータの基部（図１、符号２３ｂ）が取付けられるサーモアクチュエータ取付部６７と、下流側排出管３３の一端が接続される下流側排出管接続口６８と、この下流側排出管接続口６８及び上流側排出口４６から上流側排出管３４までを接続する三つ又状の第２熱媒体排出路６２（図５も合わせて参照）と、上流側排出管３４が接続される上流側排出管接続口６９とからなる。
【００４３】
図１も参照して、サーモアクチュエータ取付部６７にサーモアクチュエータ２３を取付けることで、冷却水の熱をサーモアクチュエータ２３に伝えることができる。冷却水の熱がサーモアクチュエータ２３に伝わることで、サーモアクチュエータ２３内のワックスが膨張又は収縮する。ワックスが膨張又は収縮することで、サーモアクチュエータ２３の先端部２３ａが前進又は後退する。即ち、サーモアクチュエータ２３は、冷却水の温度によって作動する。
【００４４】
接続部材６０は、サーモアクチュエータ２３の基部２３ｂが取付けられるサーモアクチュエータ取付部６７を備えている。サーモアクチュエータ２３の取付けを容易に行うことができると共に、部品点数の削減を図ることができる。
【００４５】
図６に戻り、接続部材６０には、第２熱媒体導入管３１、上流側排出管３４及び下流側排出管３３が接続される。例えば、接続部材６０に第２熱媒体導入管３１、上流側排出管３４及び下流側排出管３３を接続した上で、熱回収器本体４０に接続することができる。それぞれの部品を個別に接続する場合に比べて、部品点数を削減することができる。
【００４６】
加えて、コアケース４１の上面に位置する第１のコーナ部Ｃ１から第２のコーナ部Ｃ２に亘って、接続部材６０が取付けられている。コアケース４１の上方の部位に接続部材６０を取付け、この接続部材６０に、第２熱媒体導入管３１、上流側排出管３４及び下流側排出管３３が接続される。即ち、第２熱媒体導入管３１、上流側排出管３４及び下流側排出管３３をコアケース４１の上面近傍にまとめて配置することができる。まとめて配置することで、熱回収器組立体３０の小型化を図ることができる。
【００４７】
流路規制凹部４１ｃは、伝熱チューブ（図５、符号５１）の近傍の位置まで凹まされる。流路規制凹部４１ｃを伝熱チューブの近傍の位置まで凹ませることで、冷却水の流路を規制する。
下流側排出口４７近傍の詳細を次図で説明する。
【００４８】
図７に示すように、下流側排出口４７に、下流側排出管３３が接続されている。第２熱媒体導入口（図４、符号４５）から導入された冷却水の一部は、上流側排出口（図４、符号４６）から排出され、残部が下流側排出口４７から排出される。
冷却水の流れについて詳細を次図で説明する。
【００４９】
図８に模式的に示すように、冷却水は、第２熱媒体導入管３１及び接続部材６０を通過する（矢印（１）参照）。接続部材６０を通過した冷却水の一部は、矢印（２）で示すように、コアケース４１の上流側を下に向かって流れる。冷却水の残部は、矢印（３）で示すように、伝熱チューブ５１に沿って下流に向かって流れる。
【００５０】
コアケース４１の上流側を流れる冷却水は、矢印（４）で示すように、伝熱チューブ５１の下端を通過して上方に向かって流れ、矢印（５）で示すように、接続部材６０に向かって排出される。
【００５１】
一方、下流に向かって流れる冷却水は、矢印（６）で示すように伝熱チューブ５１間及び外側を流れ、下流側排出管３３に向かって流れる。矢印（７）で示すように下流側排出管３３を通過し、接続部材６０で上流側を通過した冷却水と合流する。
合流した冷却水は、矢印（８）で示すように上流側排出管３４を通過する。
【００５２】
第２熱媒体導入口から導入された冷却水（矢印（１））のうち、一部は上流側排出口に向かって流れる（矢印（２），（４），（５））。第２熱媒体導入口及び上流側排出口が共にコアケース４１の上流端部に設けられているため、冷却水の流路は短い。冷却水の流路が短いことで、沸騰の生じやすい上流側では、沸騰が生じる前に冷却水をコアケース４１の外に排出することができる。
【００５３】
一方、第２熱媒体導入口から導入された第２熱媒体の残部は、下流側排出口に向かって流れる（矢印（３），（６））。コアケースの上流端部から導入した冷却水を、コアケース４１の下流端部から排出するため、十分に排気ガスの熱を回収することができる。
【００５４】
即ち、沸騰する前にコアケース４１の外部へ冷却水を排出する。冷却水の沸騰を防ぐことで、冷却水を円滑に流すことができる。冷却水を円滑に流すことで、効率よく排気ガスの熱を回収することができる。
このような熱回収器組立体の別実施例について次図で説明する。
【実施例２】
【００５５】
次に、本発明の実施例２を図面に基づいて説明する。図９は実施例２の熱回収器組立体の平面図を示し、上記図３に対応させて表している。
図９に示されるように、熱回収器本体７０に、第２媒体導入管７１と第２媒体排出管７２とが接続されている。
即ち、実施例２に係る熱回収器本体７０は、接続部材（図３、符号６０）を介さずに、第２媒体導入管７１及び第２媒体排出管７２が接続されている。
【００５６】
熱回収器本体７０は、コアケース７３の上流端部７３ａに第２熱媒体導入口７４が設けられている。
また、冷却水を排出する第２熱媒体排出口７５は、コアケース７３の上流端部７３ａに設けられた上流側排出口７６と、コアケース７３の下流端部７３ｂに設けられた下流側排出口７７とからなる。
【００５７】
このような熱回収器本体７０を用いた場合も、冷却水が沸騰する前にコアケース７３の外部へ冷却水を排出する。冷却水の沸騰を防ぐことで、冷却水を円滑に流すことができる。冷却水を円滑に流すことで、効率よく排気ガスの熱を回収することができる。
このような熱回収器組立体のさらなる別実施例について次図で説明する。
【実施例３】
【００５８】
次に、本発明の実施例３を図面に基づいて説明する。図１０は実施例３の熱回収器組立体の平面図を示し、上記図３に対応させて表している。
図１０に示されるように、熱回収器本体８０に、第２媒体導入管８１と第２媒体排出管８２とが接続されている。
即ち、実施例３に係る熱回収器本体８０は、接続部材（図３、符号６０）を介さずに、第２媒体導入管８１及び第２媒体排出管８２が接続されている。
【００５９】
熱回収器本体８０は、コアケース８３の上流端部８３ａの側面に第２熱媒体導入口８４が設けられている。
また、冷却水を排出する第２熱媒体排出口８５は、コアケース８３の上流端部８３ａの側面に設けられた上流側排出口８６と、コアケース８３の下流端部８３ｂの側面に設けられた下流側排出口８７とからなる。
【００６０】
なお、伝熱チューブは、冷却水（第２熱媒体）の流れ方向に沿って配置される。即ち、実施例１では鉛直方向に向かって配置された伝熱チューブ（図５参照）が、実施例３では水平方向に向かって配置される。
【００６１】
このような熱回収器本体８０を用いた場合も、冷却水が沸騰する前にコアケース８３の外部へ冷却水を排出する。冷却水の沸騰を防ぐことで、冷却水を円滑に流すことができる。冷却水を円滑に流すことで、効率よく排気ガスの熱を回収することができる。
【００６２】
尚、本発明に係る熱回収器本体及び熱回収器組立体は、ＥＧＲ（Ｅｘｈａｕｓｔ  Ｇａｓ  Ｒｅｃｉｒｃｕｌａｔｉｏｎ）クーラにも適用することができ、これらのものに用途は限定されない。
【産業上の利用可能性】
【００６３】
本発明の排熱回収装置は、四輪車に好適である。
【符号の説明】
【００６４】
１０…排熱回収装置、１１…導入口、１２…分岐部、１３…第１流路、１３ｂ…（第１流路の）下流端部１４…第２流路、１６…合流部、１７…部屋部、１８…バルブ軸、２１…バルブ、２３…サーモアクチュエータ、２３ｂ…（サーモアクチュエータの）基部、３０…熱回収器組立体、３１…第２熱媒体導入管、３２…第２熱媒体排出管、３３…下流側排出管、３４…上流側排出管、４０，７０，８０…熱回収器本体、４１，７３，８３…コアケース、４１ａ，７３ａ，８３ａ…（コアケースの）上流端部、４１ｂ，７３ｂ，８３ｂ…（コアケースの）下流端部、４５，７４，８４…第２熱媒体導入口、４６，７６，８６…上流側排出口、４７，７７，８７…下流側排出口、４８，７５，８５…第２熱媒体排出口、５１…伝熱チューブ、６０…接続部材、６１…第２熱媒体導入路、６２…第２熱媒体排出路、６６…導入管接続口、６８…下流側排出管接続口、Ｃ１…第１のコーナ部、Ｃ２…第２のコーナ部、Ｃ３…第３のコーナ部。
【図１】
0005498988.tif 000002
【図２】
0005498988.tif 000003
【図３】
0005498988.tif 000004
【図４】
0005498988.tif 000005
【図５】
0005498988.tif 000006
【図６】
0005498988.tif 000007
【図７】
0005498988.tif 000008
【図８】
0005498988.tif 000009
【図９】
0005498988.tif 000010
【図１０】
0005498988.tif 000011
【図１１】
0005498988.tif 000012